(57)【要約】【課題】  pHに依存することなく酸化還元電位が低く所望するpH値を有する酸化・還元水を提供することができる酸化・還元水の生成方法、この方法により生成される酸化・還元水及びこの酸化・還元水を生成することのできる酸化・還元水の生成装置の提供。【解決手段】  対象水を使用者の所望する酸化還元電位とpHを有する酸化・還元水に生成する方法であって、対象水にpH調整剤が添加され所望するpHに調整し、pH調整された対象水を電解槽に収容し、所定間隔を有する第１電極及び第２電極と、第１及び第２電極の間に配される第３電極とを対象水が収容された電解槽に挿入し、第１電極及び第２電極に交流電圧を印加させるとともに、第３電極に交流電圧から整流素子を利用して得られる交流成分を含む直流電圧を印加させて、対象水の酸化還元電位を低下させることを特徴とする。【選択図】  図１
2006035053.tif 000002
【特許請求の範囲】
【請求項１】
対象水を使用者の所望する酸化還元電位とpHを有する酸化・還元水に生成する方法であって、
前記対象水にpH調整剤が添加され所望するpHに調整し、
前記pH調整された対象水を電解槽に収容し、
所定間隔を有する第１電極及び第２電極と、該第１及び第２電極の間に配される第３電極とを前記対象水が収容された前記電解槽に挿入し、
前記第１電極及び前記第２電極に交流電圧を印加させるとともに、前記第３電極に該交流電圧から整流素子を利用して得られる交流成分を含む直流電圧を印加させて、前記対象水の酸化還元電位を低下させることを特徴とする酸化・還元水の生成方法。
【請求項２】
前記第３電極を、前記第１電極及び第２電極の略中央に配置することを特徴とする請求項１記載の酸化・還元水の生成方法。
【請求項３】
前記第１電極及び前記第２電極間の電界強度を、０．１〜１０Ｖ／ｍｍとすることを特徴とする請求項１又は２に記載の酸化・還元水の生成方法。
【請求項４】
前記第１電極及び第２電極に流れる電流を、０．０４〜５Ａとすることを特徴とする請求項１乃至３いずれかに記載の酸化・還元水の生成方法。
【請求項５】
前記pH調整剤が食品添加物として認定を受けていることを特徴とする請求項１記載の酸化・還元水の生成方法。
【請求項６】
pHの値を調整するために食品添加物として認定を受けているpH調整剤が添加された後、電気分解により酸化還元電位が低下された酸化・還元水。
【請求項７】
前記電気分解による酸化還元電位の低下が、
対象水を電解槽に収容し、
所定間隔を有する第１電極及び第２電極と、該第１及び第２電極の間に配される第３電極を前記電解槽に挿入し、
前記第１電極及び前記第２電極に交流電圧を印加させるとともに、前記第３電極に該交流電圧から整流素子を利用して得られる交流成分を含む直流電圧を印加させて、前記対象水の酸化還元電位を低下させることを特徴とする請求項６記載の酸化・還元水。
【請求項８】
前記pH調整剤は、前記酸化・還元水のpHが酸性の値を示す場合は酸性の調整剤であり、該酸化・還元水のpHがアルカリ性の値を示す場合はアルカリ性の調整剤であることを特徴とする請求項６又は７記載の酸化・還元水。
【請求項９】
前記pH調整剤が食品添加物として認定を受けていることを特徴とする請求項６記載の酸化・還元水。
【請求項１０】
一対の両端電極と、該一対の両端電極の間に配される中央電極からなる電解促進部を複数有する酸化・還元水の生成装置であって、
商用交流電源からの交流電圧を整流するブリッジ整流回路を有し、
前記両端電極と前記中央電極とが前記ブリッジ整流回路による電位差を有するように接続されていることを特徴とする酸化・還元水の生成装置。
【請求項１１】
前記ブリッジ整流回路の両出力端子に夫々出力端電極が接続され、前記出力端電極の間に該ブリッジ整流回路の入力端子に接続される入力端電極が配されていることを特徴とする請求項１０記載の酸化・還元水の生成装置。
【請求項１２】
前記入力端電極がメッシュ状であることを特徴とする請求項１１記載の酸化・還元水の生成装置。
【発明の詳細な説明】
【技術分野】
【０００１】
本発明は、酸化・還元水の生成方法、酸化・還元水及び酸化・還元水の生成装置に関し、より詳しくは、pHに依存することなく酸化還元電位が低く所望するpH値を有する酸化・還元水を提供することができる酸化・還元水の生成方法、この方法により生成される酸化・還元水及びこの酸化・還元水を生成することのできる酸化・還元水の生成装置に関する。
【背景技術】
【０００２】
日常使用している家庭用等の水道水は、殺菌処理のために塩素が添加されているため飲用した場合に、水の味を悪くしたり、残留塩素による水中の有機物との化合により発生するトリハロメタン等の人体に有害な物質が生成したりする可能性を有していた。このため、水道水の水質を改善する要望が高まっている。
【０００３】
上記の如き問題を改善するために、水道水の水質を改善するための発明が創出されている。特開平５−２２８４７４号公報（特許文献１）、特開平５−２２８４７５号公報（特許文献２）及び、特開平６−２５４５６７号公報（特許文献３）には、水道水等の水質の悪い水を水質のよい水へ改質して還元水を生成する方法が開示されている。
特許文献１乃至３に記載される発明は、第１及び第２電極の周辺に於ける水の間に電位差が発生し、この電位差で水の整流作用により該水に直流電流が流れ、該水が電気分解され、水中に気泡が発生し、水の標準酸化還元電位を下げ、還元電位とすることができる。
このように水を処理すると、水を殺菌することができる。また、水中の有機化合物のあるものはガス化して抜け、他のものは沈殿され、容易に分離でき、きれいな水を上澄水として得ることができた。
【０００４】
しかしながら、これら特許文献１乃至３に記載される発明は、酸化還元電位の低い還元水を確実に生成することはできるが、第１電極及び第２電極に採用する電力に商用電源を直接的に使用することができなかった。特許文献１乃至３に於ける発明では、高周波発振器等を介して高周波の交流電圧に変換したものを電力として利用する構成であるため、該高周波の交流電圧を得るために装置自体の構成が複雑で煩雑で高価なものとなっていた。
また、上記する如く、特許文献１乃至３に記載される発明では、還元水は生成することはできても、強酸性水で酸化還元電位の低い酸化水及び／又は還元水を生成することはできなかった。
つまり、従来、pH値の高い（アルカリ性の）水を酸化還元電位の低い水になるよう酸化還元電位が調整された水は存在していたが、pH値の低い（酸性の）水で酸化還元電位の低いものは存在していなかった。
【０００５】
【特許文献１】特開平５−２２８４７４号公報
【特許文献２】特開平５−２２８４７５号公報
【特許文献３】特開平６−２５４５６７号公報
【発明の開示】
【発明が解決しようとする課題】
【０００６】
本発明は、このような実情に鑑みてなされたもので、商用電源を複雑且つ煩雑な構成を有する必要なく直接的に利用することができるとともに、利用者の所望する酸化還元電位の低い酸化水及び／又は還元水を確実に且つ容易に生成することができる酸化・還元水の生成方法、酸化・還元水及びこの酸化・還元水を生成することのできる生成装置に関する。
【課題を解決するための手段】
【０００７】
請求項１記載の発明は、対象水を使用者の所望する酸化還元電位とpHを有する酸化・還元水に生成する方法であって、前記対象水にpH調整剤が添加され所望するpHに調整し、前記pH調整された対象水を電解槽に収容し、所定間隔を有する第１電極及び第２電極と、該第１及び第２電極の間に配される第３電極とを前記対象水が収容された前記電解槽に挿入し、前記第１電極及び前記第２電極に交流電圧を印加させるとともに、前記第３電極に該交流電圧から整流素子を利用して得られる交流成分を含む直流電圧を印加させて、前記対象水の酸化還元電位を低下させることを特徴とする酸化・還元水の生成方法を提供する。
【０００８】
請求項２記載の発明は、前記第３電極を、前記第１電極及び第２電極の略中央に配置し、第１及び第２電極を共通とすることを特徴とする請求項１記載の酸化・還元水の生成方法を提供する。
【０００９】
請求項３記載の発明は、前記第１電極及び前記第２電極間の電界強度を、０．１〜１０Ｖ／ｍｍとすることを特徴とする請求項１又は２に記載の酸化・還元水の生成方法を提供する。
【００１０】
請求項４記載の発明は、前記第１電極及び第２電極に流れる電流を、０．０４〜５Ａとすることを特徴とする請求項１乃至３いずれかに記載の酸化・還元水の生成方法を提供する。
【００１１】
請求項５記載の発明は、前記pH調整剤が食品添加物として認定を受けていることを特徴とする請求項１記載の酸化・還元水の生成方法を提供する。
【００１２】
請求項６記載の発明は、pHの値を調整するために食品添加物として認定を受けているpH調整剤が添加された後、電気分解により酸化還元電位が低下された酸化・還元水を提供する。
【００１３】
請求項７記載の発明は、前記電気分解による酸化還元電位の低下が、対象水を電解槽に収容し、所定間隔を有する第１電極及び第２電極と、該第１及び第２電極の間に配される第３電極を前記電解槽に挿入し、前記第１電極及び前記第２電極に交流電圧を印加させるとともに、前記第３電極に該交流電圧から整流素子を利用して得られる交流成分を含む直流電圧を印加させて、前記対象水の酸化還元電位を低下させることを特徴とする請求項６記載の酸化・還元水を提供する。
【００１４】
請求項８記載の発明は、前記pH調整剤は、前記酸化・還元水のpHが酸性の値を示す場合は酸性の調整剤であり、該酸化・還元水のpHがアルカリ性の値を示す場合はアルカリ性の調整剤であることを特徴とする請求項６又は７記載の酸化・還元水を提供する。
【００１５】
請求項９記載の発明は、前記pH調整剤が食品添加物として認定を受けていることを特徴とする請求項６記載の酸化・還元水を提供する。
【００１６】
請求項１０記載の発明は、一対の両端電極と、該一対の両端電極の間に配される中央電極からなる電解促進部を複数有する酸化・還元水の生成装置であって、商用交流電源からの交流電圧を整流するブリッジ整流回路を有し、前記両端電極と前記中央電極とが前記ブリッジ整流回路による電位差を有するように接続されていることを特徴とする酸化・還元水の生成装置を提供する。
【００１７】
請求項１１記載の発明は、前記ブリッジ整流回路の両出力端子に夫々出力端電極が接続され、前記出力端電極の間に該ブリッジ整流回路の入力端子に接続される入力端電極が配されていることを特徴とする請求項１０記載の酸化・還元水の生成装置を提供する。
【００１８】
請求項１２記載の発明は、前記入力端電極がメッシュ状であることを特徴とする請求項１１記載の酸化・還元水の生成装置を提供する。
これらの発明を提供することによって、上記課題を悉く解決する。
【発明の効果】
【００１９】
請求項１記載の発明によって、水道水等の通常使用される対象水を、ｐH調整剤を加えることよってｐH調整して、電解装置の利用により、所望する酸化還元電位にまで酸化還元電位を低下させ、所望の酸化還元電位に調整することができるので、所望のｐHを有する酸化還元電位の低い酸化・還元水を得ることができる酸化・還元水の生成方法を提供することができる。
また、高周波交流を利用することなく、商用電源から供給される交流電圧を複雑な構成を有する装置を利用することなく直接利用することができるので、廉価に所望する酸化・還元水を得ることができる。さらに、この交流電圧から正弦波を有する直流電圧を第３電極に印加することができるので、極めて効率良く酸化還元電位の低下を促すことができる。
【００２０】
請求項２乃至４記載の発明によって、極めて効果的に対象水の酸化還元電位を低下させることができる酸化・還元水の生成方法を提供することができる。
【００２１】
請求項５記載の発明によって、食品添加物を使用することにより、対象水を水質改善された飲料用に使用して味付けの良い酸化・還元水を得られる酸化・還元水の生成方法を提供することができる。
【００２２】
請求項６記載の発明によって、水道水等の通常となる対象水から、ｐH調整剤を加えることによってｐH調整し、電解装置の利用により、所望する酸化還元電位にまで酸化還元電位を低下させるので、所望のｐH値を有するとともに所望の酸化還元電位を有する酸化・還元水を提供することができる。
【００２３】
請求項７記載の発明によって、家庭用の商用電源を利用することができ、極めて廉価で且つ効率の良い装置から、家庭用の水道水等の対象水を酸化還元電位の低い酸化・還元水を提供することができる。
【００２４】
請求項８記載の発明によって、所望するpHの値を有する酸化・還元水として生成することができる酸化・還元水を提供することができる。
【００２５】
請求項９記載の発明によって、食品添加物を使用することにより、飲料用に使用することができるとともに、味付けの良い酸化・還元水を提供することができる。
【００２６】
請求項１０記載の発明によって、一の商用交流電源からブリッジ整流回路を利用することにより複数の電解促進部を設けることが可能となり、効率良く水の電気分解を行うことができる酸化・還元水の生成装置を提供することができる。
【００２７】
請求項１１記載の発明によって、ブリッジ整流回路により整流される電圧から効率良く電気分解を行うことができる電解促進部を設けることができる酸化・還元水の生成装置を提供することができる。
【００２８】
請求項１２記載の発明によって、メッシュ状の電極板を利用することにより、ブリッジ整流回路間による直流電圧から水の電気分解を効果的に促進させることができる酸化・還元水の生成装置を提供することができる。
【発明を実施するための最良の形態】
【００２９】
本発明を実施するための最良の形態を説明する。
本発明の酸化・還元水の生成方法及びこの生成方法による酸化・還元水を図面を参照しつつ説明する。
本発明で使用される電解装置（１）について説明する。
図１は、本発明で使用される電解装置（１）の概略構成図であり、（ａ）は概略斜視図であり、（ｂ）は第１電極、第２電極及び第３電極の一実施例の配置図であり、（ｃ）は概略回路図である。尚、図２は、電解装置の他の実施形態を示している。
この電解装置（１）は、電解槽（２）、変圧部（３）、第１電極（４１）、第２電極（４２）、第３電極（４３）及び整流素子（５）を有している。
この電解装置（１）は、商用交流電源（６）に接続される。この商用交流電源（６）は所謂一般家庭において供給されている交流電源であり、１００Ｖの５０又は６０Hzの出力を有している。
尚、本発明で使用される対象水は、説明の都合上、水道水等の水を対象としているが、特に限定されるものではなく、多種多様な水を利用することができる。
【００３０】
電解槽（２）は、対象となる水を収容しておく容器であり、材質、形状及び色彩等特に限定されないが、対象水の酸化還元電位を正確に計測するために、絶縁体であるガラス等を使用することが好ましい。
尚、図１（ａ）で示される電解槽（２）は円筒形状を有している。
【００３１】
変圧部（３）は、入力される商用交流電源の電圧を降下させる。この変圧部（３）は、商用交流電源の電圧を降下させる機能を有していれば特に限定されず、従来公知の変圧器を採用することができる。
この変圧部（３）は、入力電圧（商用交流電源）の約１００Ｖの電圧を、第１電極（４１）及び第２電極（４２）間において電界強度０．１〜１０Ｖ／ｍｍが印加されるように降下させる。この降下される電圧は、特に限定される電圧値ではないが、後述するこの電解装置（１）の所要電力が対象水１Ｌあたり３０Ｗ、好ましくは２０Ｗ以内に納まることが好ましい。上記のような所要電力に納めることによって、消費電力を小さくすることができ、省電力で電解装置（１）を使用することができるからである。
【００３２】
この変圧部（３）は、後述する第１電極（４１）及び第２電極（４２）に、上記する如く０．１〜１０Ｖ／ｍｍの交流電圧を供給するとともに、０．０４〜５Ａの電流を供給する。
この変圧部（３）が第１電極（４１）及び第２電極（４２）に供給する電流は、０．０４〜５Ａであり、最も好ましいのは、水素が酸素よりも先に発生する低電圧低電流に設定されることである。
このとき、電解槽（２）では、第１及び第２電極（４１、４２）からの電磁場エネルギーにより、下記（数１）のような水の解離が促進される。
【００３３】
（数１）
２Ｈ2Ｏ        ⇔  Ｈ3Ｏ＋  ＋  ＯＨ− 
水素イオンＨ＋と水酸化物イオンＯＨ−は、夫々水分子と水和して安定化しようと働き、ヒドロニウムイオン（Ｈ3Ｏ＋）と水（Ｈ2Ｏ）に水酸化物イオン（ＯＨ−）が吸着（配位）してヒドロキシルイオン（Ｈ3Ｏ2−）が生成されることになる。ヒドロニウムイオンは放電電位が低いため水素ガスとなり消滅するが、ヒドロキシルイオンは放電電位が高いためこのイオン状態を維持して水中に拡散されることになる。
また、上記する電流が０．０４Ａ未満であると、第１電極（４１）及び第２電極（４２）において電気分解が生じにくく、０．１Ａを超えると酸素の発生量が多くなり、酸化還元電位の低い対象水が効率良く得ることができなくなるからである。
尚、この第１及び第２電極（４１、４２）間に係る電流値は、上記する範囲内において、対象となる水に対応するように適宜変更される。
【００３４】
第１電極（４１）及び第２電極（４２）は、変圧部（３）の一の端子に並列に接続される。
この第１電極（４１）及び第２電極（４２）は、方形板状又は方形網状に形成される（図１（ｂ）参照）。
この第１及び第２電極（４１及び４２）は、鉄、銅、ステンレス、チタン、白金、金、イリジウム、パラジウム等の酸化還元電位を降下させる金属素材で形成されている。
第１電極（４１）と第２電極（４２）は、所定間隔（Ｄ）を開けて並列に配置されている。この所定間隔（Ｄ）は、０．５〜２．５ｍｍに、好ましくは、約１．２〜１．８ｍｍになるよう配置されている。
この間隔（Ｄ）が０．５ｍｍ未満であると、電極において気泡が確実に抜けなくなり水の電気分解を阻害する要因となり得るからであり、２．５ｍｍより大きくなると電極に上記する以上の電力を供給しなければならないからである。
【００３５】
第３電極（４３）は、第１電極（４１）と第２電極（４２）の間の所定間隔（Ｄ）の略中央に第１及び第２電極（４１及び４２）と並列するように配置される（図１（ｂ）参照）。
この第３電極（４３）は、変圧部（３）の他の端子に接続されている。また、変圧部（３）と第３電極（４３）の間には、第３電極（４３）に印加される印加電圧を一方向の直流電圧にする整流素子（５）が設けられている。
第３電極（４３）は、第１及び第２電極（４１、４２）と同様に、方形板状又は方形網状に形成されている。尚、第１乃至第３電極（４１、４２、４３）が網状に形成されることによって、電極から発生する気泡の除去を効率良く行うことができる。
この整流素子（５）は、ダイオードが採用されており、第３電極（４３）から変圧部（３）に流れる方向を順方向となるように配置されている。このため、第３電極（４３）に印加される電圧は、交流成分を含む直流電圧となる。
図４（ａ）は、第１及び第２電極に印加される電力波形を示し、図４（ｂ）は第３電極に印加される電力波形を示す。
尚、この第３電極（４３）に係る直流電圧の波形は、歪みを有する正弦波の形状を有するように設定されることが好ましい。
上記する如く、第１乃至第３電極（４１、４２及び４３）を配置することによって、変圧部（３）を有する一のループ回路として構成されていることになる（図１（ｃ）参照）。
【００３６】
第１乃至第３電極（４１，４２及び４３）は、上記する配置を有した一部材（電解促進部（４））として構成され、この電解促進部（４）は、電解槽（２）に収容される対象水に浸されることになる。また、この電解促進部（４）は、図１において一の電解促進部（４）の利用が開示されているが、複数の電解促進部（４）を利用することもできる。
また、第１乃至第３電極（４１、４２及び４３）を複数用意し、各電極を上記するような配置にするとともに、図２（ａ）（ｂ）で示される如く回路を利用することもできる。
尚、図２は、２つの電解促進部（４）を利用した場合の一実施例を示し、（ａ）では、２組の第１電極（４１、４１’）及び第２電極（４２、４２’）を変圧部（３）の夫々の端子側に接続し、第３電極（４３、４３’）を接続して変圧部（３）の各端子側に整流素子（５、５’）と伴って接続されている。この場合、第３電極側には図４（ｃ）で示される直流電圧が印加されることになる。
また、図２（ｂ）は、別の実施形態を示している。
図２（ｂ）に示される装置（１００）は、一の商用交流電源（６）から複数の電解促進部を利用して構成されている。この装置（１００）は、商用交流電圧（６）を変圧する変圧部（３）と、変圧部（３）に接続されて交流電圧を整流するブリッジ整流回路（１１０）が接続されている。この装置（１００）は、一対の両端電極（α）と、一対の両端電極（α）の間に配される中央電極（β）からなる電解促進部（１０１）を複数有している。この両端電極（α）と中央電極（β）は、図２（ｂ）で示される如く、ブリッジ整流回路（１１０）により生じる各ブリッジ間の電位差を利用して、両端電極（α）と中央電極（β）に電位差が生じるように接続されている。
尚、図２（ｂ）では、電解促進部（１０１）が８個設けられており、各ブリッジ整流回路（１０１）間の電位差を利用するとともに、各ブリッジ間における電位差の高低を利用する２種類の電解促進部（１０１）が示されている。
また、この装置（１００）には、ブリッジ整流回路（１１０）の両出力端子（１１１）に夫々出力端電極（θ）が接続され、出力端電極（θ）の間にブリッジ整流回路（１１０）の入力端子（１１２）に接続される入力端電極（γ）が配されている。この出力端電極（θ）と入力端電極（γ）により電解促進部（１１３）が形成されている。この電解促進部（１１３）は、図２（ｂ）で示す如く、入力端電極（γ）を二つ利用することができるので、二の電解促進部（１１３）を形成することができる。
尚、この装置（１００）の上記以外の構成は、装置（１）と同様であり、後述する実施例において装置（１）の代わりに使用することができる。
【００３７】
図３は、ブリッジ整流回路（１１０）により整流される電圧を利用する電極や、図２（ｂ）に示される電解促進部（１１３）を利用する際の一実施例を示す図である。
この電解促進部（１２０）は、変圧器（３）にブリッジ整流回路（１２３）が接続され、このブリッジ整流回路（１２３）の二の出力端子（１２４）に出力端電極（１２１）が夫々接続されている。二の電極（１２１）の間には、ブリッジ整流回路（１２３）の入力端子（１２５）に接続される入力端電極（１２２）が配されている。この入力端電極（１２２）は、メッシュ状であることが好ましい。この入力端電極（１２２）がメッシュ状に構成されることによって、水の電気分解を効果的に促進させることができる。また、この入力端電極（１２２）を設けることにより、出力端電極（１２１）間の中間にある電位を確保することができ、効果的に水の電気分解を促進させることができる。
尚、上記する電解促進部（１２０）のメッシュ状の電極を利用することは、図２（ｂ）で示される電解促進部（１１３）の電極に適用することができるとともに、第１乃至第３電極（４１、４２，４３）の各電極に適用することもできる。
以上が本発明で使用される電解装置（１）の構成の説明である。
【００３８】
上記する図１に示される電解装置（１）の動作を説明する。
まず、電解槽（２）に約２Ｌの水道水等の対象水を収容する。
対象水を収容した後に、電解装置（１）を商用電源（６）に接続する。電解装置（１）の電解促進部（４）を対象水に浸すように電解槽（２）に挿入する。
次いで、電解装置（１）の電源を入れる。
このとき、第１電極（４１）及び第２電極（４２）に印加される電圧及び電流は、約１０Ｖで約２Ａに設定し、消費電力を２０Ｗにしておく。対象水１Ｌあたり約１０Ｗの消費電力となる。
【００３９】
商用電源から電圧を印加すると、変圧部（３）により電圧が約１０Ｖに降下されるとともに、約２Ａの電流が発生し、第１電極（４１）及び第２電極（４２）に流れ入る。
第１電極（４１）及び第２電極（４２）では酸素が発生し、第３電極（４３）では水素が発生することになる（化学式（数１）参照）。
このとき、還元体である水素の発生量が、酸化体である酸素の発生量を上回るので、対象水は酸化還元電位が効果的に降下することになる。
尚、この対象水は、電解装置（１）の使用時間に比例して酸化還元電位が低下するので、所望する酸化還元電位になるまで、電解装置（１）を使用する。
【００４０】
ここで、水の特性を簡単に説明する。
例えば、図５に於いて、境界線Ａより上方の領域は、水の酸化分解領域であり、境界線Ｂより下方は、水の還元分解領域であり、境界線Ａ及び境界線Ｂで囲まれる領域は、通常大気環境下の水存在領域である。尚、各領域に於ける存在する代表的な水（同じ酸化還元電位及びpHの値を有する物質）を簡単に説明すると、（ａ）は強酸性水、（ｂ）は入浴剤による浴槽水、（ｃ）は天然温泉水、（ｄ）は皮膚に含有される水、（ｅ）はミネラルウォーター、（ｆ）は日本食や健康食品に含有される水、（ｇ）は生体臓器に含有される水、（ｈ）はミネラル還元水、（ｉ）は電解還元温泉水、（ｊ）は胃酸、（ｋ）はアルカリ還元水、（ｌ）は弱アルカリ還元水、（ｍ）は強アルカリ性水である。尚、（ｎ）は通常の家庭用の水道水である。
上記する如く、水はpH及び酸化還元電位の値において各種特徴を有することが解り、夫々のpH及び／又は酸化還元電位にその性質が依存する。
【００４１】
したがって、本発明ではpH調整剤を使用してpHを所望する値とし、対象水の酸化還元電位を所望する値とすることができる。
pH調整剤は、食品添加物として認定を受けている調整剤を使用することが好ましい。食品添加物として認定を受けている調整剤を使用することによって、対象水を飲用水として利用することができ、安全性の高いものとすることができる。
pHの数値を下げる（酸性とする）pH調整剤としては、クエン酸、グルコン酸、コハク酸d-酒石酸、dl-酒石酸、乳酸、酢酸、氷酢酸、フマル酸、dl-リンゴ酸等を例示することができる。
pHの数値を上げる（アルカリ性とする）pH調整剤としては、炭酸ナトリウム、炭酸カリウム、液体かんすい、固形かんすい、リン酸二カリウム、リン酸三カリウム等を例示することができる。
上記するpH調整剤は、特に限定するものではなく、食品添加物として認定を受けているpH調整剤であれば採用することができる。
【００４２】
（実施例１）
本装置（１）を使用した場合の酸化還元電圧の変化を示す実施例を説明する。
図６は、本発明の酸化・還元水を生成した場合の対象水の酸化還元電位とpH値の変化を示すグラフである。
この実施例において、使用された条件は、外気気温「２５．５℃」、水温「２２．５℃」、湿度「８５％」、試験水量「５L」、pH「７．９」、酸化還元電位（ORP）「４８６mV」に設定されている。
【００４３】
（実施例２）
上記する方法により、対象水を所望する酸化還元電位及びpHを有する酸化・還元水とする工程の説明をする。
図７は、対象水を所望する酸化還元電位及びpHを有する酸化・還元水とする一実施例の工程を示す。図７で示される一実施例においては、水道水を対象水として胃酸（酸化還元電位「−０．４Ｖ」、pHの値「２」）と同じ酸化還元電位及びpHの値を有する水を生成する方法を説明する。
電解装置（１）は、第１電極（４１）及び第２電極（４２）は３．０ｍｍの間隔を有して配置されるとともに、第３電極（４３）は、第１及び第２電極（４１、４２）から１．５ｍｍの間隔を有して設けられている。また、変圧部（３）は、商用電源（６）からの電力を交流電圧２Ｖ及び交流電流０．８Ａに設定され、第１及び第２電極（４１，４２）に供給するように設定されている。
家庭用に通常供給される水道水から対象水２Ｌを収集する。この対象水は、酸化還元電位「０．６Ｖ」、pHの値「７．８」を有している。
この２Ｌの対象水にpH調整剤を加え、元のpH値「７．８」から所望するpH値「２」になるように調整する（Ｓ１）。
このとき、pHの値を小さくするように促す酸性のpH調整剤を使用する。このpH調整剤としてクエン酸を使用する。この酸化還元電位「−０．４Ｖ」の対象水の場合、クエン酸は、pHの値「２」となるまで、０．２〜２ｇ加えられることになる。
次に、このpH調整された２Ｌの対象水を電解槽（２）に収容し、電解装置（１）を使用して、所望する酸化還元電位を有するまで、商用電源により、交流電圧８〜１２Ｖ及び交流電流１．５Ａ印加する（Ｓ２）。
このとき、酸化還元電位は、電解促進部（４）を挿入し、上記する電圧及び電流を印加した時点から酸化還元電圧の降下が見受けられる。
所望する酸化還元電位まで酸化還元電位が降下した時点で、印加を停止する。
このとき、印加開始から５〜２０分後に酸化還元電位が所望する値「−０．４（Ｖ）」となる。図７では、酸化還元電位が、約−０．４Ｖになるまで降下させている様子を示す。
このようにして、酸化還元電位が約「−０．４Ｖ」でpHが約「２」の酸化・還元水を得られることになる。
この対象水は、胃酸と同様の酸化還元電位とpHを有しているので、治療用の水として使用することができる。
【００４４】
（実施例３）
次に、対象水を所望する酸化還元電位及びpHを有する酸化・還元水とする他の工程の説明をする。
図８は、対象水を所望する酸化還元電位及びpHを有する酸化・還元水とする他の一実施例の工程を示す。図８では、水道水等の対象水を弱アルカリ性水（酸化還元電位「−０．３Ｖ」及びpHの値「１１」）を生成する方法を説明する。尚、電解装置（１）は上記する一実施例における電解装置を使用する。
家庭用に通常供給される水道水から対象水２Ｌを収集する。この対象水は、酸化還元電位「０．６Ｖ」、pHの値「７．８」を有している。
この２Ｌの対象水を電解槽（２）に収容し、pH調整剤を使用して、pHが「１１」となるまで、pH調整剤を加える（Ｓ３）。
このとき使用されるpH調整剤は、pHの値を大きくする炭酸ナトリウムを使用する。
このpH調整剤として炭酸ナトリウムを使用する。この酸化還元電位「−０．３Ｖ」の対象水の場合、炭酸ナトリウムは、pHの値「１１」となるまで、０．５〜１ｇ加えられることになる。
次に、このpH調整された対象水に電解促進部（４）を浸し、電解装置（１）を使用して、所望する酸化還元電位を有するまで、商用電源により、交流電圧８〜１２Ｖ及び交流電流１．５Ａ印加する（Ｓ４）。
このとき、酸化還元電位は、電解促進部（４）を挿入されて、上記する電圧及び電流を印加した時点から酸化還元電圧の降下が見受けられる。
このとき、印加開始から５〜２０分後に酸化還元電位が所望する値「−０．３（Ｖ）」となる。図８では、酸化還元電位が、約−０．３Ｖになるまで降下させている様子を示す。
所望する酸化還元電位まで酸化還元電位が降下した時点で、印加を停止する。図８では、酸化還元電位が、約−０．３Ｖになるまで降下させている。
このようにして、酸化還元電位が約「−０．３Ｖ」でpHが約「１１」の酸化・還元水を得られることになる。
この対象水は、弱アルカリ水と同様の酸化還元電位とpHを有しているので、健康飲料として市販されている弱アルカリ水として容易に生成することができる。
【００４５】
上記するように本装置及び本方法を使用することによって、対象となる水のpHの値及び酸化還元電位に依存することなく、ｐHの値を所望する値に調整して、ｐHの影響を全く受けることなく酸化還元電位のみを低下させ、酸化還元電位を所望する値に調整して、所望するｐH及び酸化還元電位を有する水を生成することができる。特に、ｐHの調整を行うｐH調整剤が食品添加物として認定を受けているものを使用するので、酸性、中性及び塩基性と水の性質を問わず、酸化還元電位の低い飲用利用可能な水を提供することができる。
【図面の簡単な説明】
【００４６】
【図１】本発明で使用される電解装置（１）の概略構成図であり、（ａ）は概略斜視図であり、（ｂ）は第１電極、第２電極及び第３電極の一実施例の配置図であり、（ｃ）は概略回路図である。
【図２】本発明における電解装置の他の実施例を示す概略回路図である。
【図３】本発明の電解促進部の一実施例を示す。
【図４】（ａ）は、第１及び第２電極に印加される電力波形を示し、（ｂ）は第３電極に印加される電力波形を示し、（ｃ）は他の実施例における電極に印加される電圧波形を示している。
【図５】水の酸化還元電位とpHの関係を示す関係図である。
【図６】本発明の装置を利用した場合の酸化還元電圧とpHの変化の様子を示すグラフである。
【図７】対象水を所望する酸化還元電位及びpHを有する酸化・還元水とする一実施例の工程を示す。
【図８】対象水を所望する酸化還元電位及びpHを有する酸化・還元水とする他の一実施例の工程を示す。
【符号の説明】
【００４７】
１・・・・電解装置
２・・・・電解槽
４１・・・第１電極
４２・・・第２電極
４３・・・第３電極
５・・・・整流素子
６・・・・商用交流電源
１０１・・電解促進部
１１０・・ブリッジ整流回路
１１１・・出力端子
１１２・・入力端子
１１３・・電解促進部
１２０・・電解促進部
１２１・・出力端電極
１２２・・入力端電極
１２３・・ブリッジ整流回路
α・・・・両端電極
β・・・・中央電極
θ・・・・出力端電極
γ・・・・入力端電極
【図１】
2006035053.tif 000003
【図２】
2006035053.tif 000004
【図３】
2006035053.tif 000005
【図４】
2006035053.tif 000006
【図５】
2006035053.tif 000007
【図６】
2006035053.tif 000008
【図７】
2006035053.tif 000009
【図８】
2006035053.tif 000010